(57)【要約】【課題】全体が軽量で、作業時に工具が適度の重量配分を提供して作業性を高めることができ、ランニングコストを下げることができる燃焼式動力工具の提供。【解決手段】  燃焼室１４を収容し外郭を構成するハウジング２と、燃焼室内に供給された燃焼ガスを着火させるための点火プラグ７とを備え、ハウジングには点火プラグに着火エネルギーを発生させるためのリチウムイオン電池収容部４が画成されている。ハウジング２はハンドル部３を含み、リチウムイオン電池収容部４はハンドル部３の自由端部に配置されている。【選択図】図１
2008221436.tif 000002
【特許請求の範囲】
【請求項１】
燃焼室を収容し外郭を構成するハウジングと、  
該燃焼室内に供給された燃焼ガスを着火させるための着火手段とを備え、
該ハウジングには該着火手段に着火エネルギーを発生させるためのリチウムイオン電池収容部が画成されていることを特徴とする燃焼式動力工具。
【請求項２】
該燃焼室内での燃焼ガスの燃焼・爆発により駆動される動力部と、
動力部の動力を止具に伝達するために止具を所定位置に保持する射出部と、  
該射出部に止具を供給するマガジンとを更に備え、
該ハウジングは、該動力部を収容すると共に先端に該射出部を備える本体部と、該本体部を把持するためのハンドル部とを備え、該リチウムイオン電池収容部は該ハンドル部の自由端部に配置されていることを特徴とする請求項１に記載の燃焼式動力工具。
【請求項３】
該マガジンは該射出部と該ハンドル端部との間に跨って設けられ、該マガジンのハンドル端部側の端面とハンドル端部の端面とは、段部がない連続した略直線形状をなしていることを特徴とする請求項２に記載の燃焼式動力工具。
【発明の詳細な説明】
【技術分野】
【０００１】
本発明は燃焼式動力工具に関し、詳しくは、燃料ガスの燃焼爆発エネルギにより被打込み材に止具を打ち込む燃焼式動力工具に関する。
【背景技術】
【０００２】
燃焼式動力工具の一例として、特許文献１に記載されているような釘打機がある。この釘打機は外郭を構成するハウジング内に、シリンダと、ピストンと、移動可能な燃焼室枠が設けられ、燃焼室枠が所定の位置に移動したときに、燃焼室が画成される。燃焼室内にはファンが回転駆動可能に配置されている。ピストンには止具を打出すドライバブレードが固定されて、燃焼室内での可燃性ガスの燃焼爆発により駆動される動力部をなす。またハウジングの先端側には動力部の動力を止具に伝達するために、止具を所定位置に保持するとともにドライバブレードが通過可能な射出部が設けられる。ハウジングはハンドル部を有し、ハンドル部と射出部との間には、射出部に止具を供給するためのマガジンが設けられる。燃焼室内に供給された燃焼ガスを着火させるため、スパークを発生する点火プラグが燃焼室に臨んで配置される。またファンの回転やスパーク発生のための電気エネルギー蓄える電池として、ニッカド電池やニッケル水素電池が、ハンドル内に収容されている。
【特許文献１】特開２００５−３２９５３３号公報
【発明の開示】
【発明が解決しようとする課題】
【０００３】
釘打機は片手でハンドルを把持して使用するため、使用者の疲労が少なくまた取り回しの良い軽量化が望まれている。しかし従来の釘打機は、ニッカド電池やニッケル水素電池を使用するため、工具全体の重量が重くなり使用しにくく、よりいっそうの作業性の向上が望まれていた。またニッカド電池やニッケル水素電池は、サイクルライフ即ち繰り返し使用できる回数が低く、ランニングコストが高かった。
【０００４】
そこで本発明は、全体が軽量で、作業時に工具が適度の重量配分を提供して作業性を高めることができ、ランニングコストを下げることができる燃焼式動力工具を提供することを目的とする。
【課題を解決するための手段】
【０００５】
係る目的を達成するため本発明は、燃焼室を収容し外郭を構成するハウジングと、該燃焼室内に供給された燃焼ガスを着火させるための着火手段とを備え、該ハウジングには該着火手段に着火エネルギーを発生させるためのリチウムイオン電池収容部が画成されている燃焼式動力工具を提供している。
【０００６】
ここで燃焼式動力工具には、該燃焼室内での燃焼ガスの燃焼・爆発により駆動される動力部と、動力部の動力を止具に伝達するために止具を所定位置に保持する射出部と、該射出部に止具を供給するマガジンとが設けられ、該ハウジングは、該動力部を収容すると共に先端に該射出部を備える本体部と、該本体部を把持するためのハンドル部とを備え、該リチウムイオン電池収容部は該ハンドル部の自由端部に配置されているのが好ましい。
【０００７】
この場合に、該マガジンは該射出部と該ハンドル端部との間に跨って設けられ、該マガジンのハンドル端部側の端面とハンドル端部の端面とは、段部がない連続した略直線形状をなしていることが好ましい。
【発明の効果】
【０００８】
請求項１記載の燃焼式動力工具によれば、ハウジングにはリチウムイオン電池収容部が設けられており、電池としてはリチウムイオン電池が用いられるので、燃焼式動力工具全体の軽量化を図ることができる。またリチウムイオン電池はニッカド電池やニッケル水素電池と比較して放電が少なく電池の使用時間が長いので、ランニングコストを低く抑えることができる。またリチウムイオン電池はリサイクル性に優れるので、その使用により資源の有効活用に寄与できる。
【０００９】
また一般的に、燃焼式動力工具の代表例である釘打機は、鉛直下方向きに釘を打ち込むことが多い。請求項２記載の燃焼式動力工具によれば、リチウムイオン電池収容部はハンドル部の自由端部に配置されているので、リチウムイオン電池を電池収容部に装着して鉛直下向きに釘を打込むとき、リチウムイオン電池はニッカド電池やニッケル水素電池と比較して軽量であるため、ハンドルからは離間した被打込み材の直上にある射出部側に、よりいっそう偏らせるような重量配分を提供することが可能となる。従って打込み時の工具の重量を、よりいっそうドライバブレード上に集中させることができ、打ち込み時の反動を低下できるので、作業効率の向上を図ることができる。
【００１０】
請求項３記載の燃焼式動力工具によれば、マガジンのハンドル端部側の端面とハンドル端部の端面とは、段部がない連続した略直線形状をなしているので、不規則な凹凸面がなく、周囲との干渉を避けてより狭いスペースでの作業が可能となる。
【発明を実施するための最良の形態】
【００１１】
以下、本発明の第１の実施の形態による燃焼式動力工具を釘打機に適用した例について図１を参照して説明する。釘打機１は、外郭としてハウジング２を有し、ハウジング２は、ハウジング本体部２Ａと、ハウジング本体２Ａの側部に位置するガスボンベ収納部２Ｂと、ガスボンベ収納部２Ｂから延びるハンドル部３を有する。ハウジング本体部２Ａ内であってその一端側に偏った位置には、チャンバヘッド５が設けられる。チャンバヘッド５にはモータ６や着火手段である点火プラグ７が支持されている。チャンバヘッド５の外周面にはヘッドシール部８が装着されている。またチャンバヘッド５内には、燃焼ガス通路が形成されている。
【００１２】
ハウジング本体２Ａ内の反モータ６側内には、シリンダ９が固定され、シリンダ９の一端側外周面には、シリンダシール部１０が装着されている。シリンダ９内には動力部たるピストン１１がシリンダ９に往復摺動可能に設けられる。そしてピストン９からハウジング本体３の他端側に向かって止具である釘を打込むためのドライバブレード１２が延出している。
【００１３】
ハウジング本体２Ａ内にはシリンダ９の軸方向に移動可能な燃焼室枠１３が設けられている。燃焼室枠１３の移動位置に応じて、その内周面がヘッドシール部８やシリンダシール部１０にシールされる。燃焼室枠１３がハウジング本体２Ａの一端方向に移動してチャンバヘッド５に着座したときは、ヘッドシール部８とシリンダシール部１０を介して、チャンバヘッド５、燃焼室枠１３、ピストン１１の一端面とにより燃焼室１４が画成される。上述した点火プラグ７と燃焼ガス通路の開口端は燃焼室１４に臨んでいる。また、モータ６の回転軸に固定されたファン１５が、燃焼室１４内に回転可能に配置される。
【００１４】
ハウジング本体２Ａの他端には、ドライバブレード１２の動力を釘に伝達するためにドライバブレード１２を通過可能とさせると共に釘を保持する射出部１６が設けられる。射出部１６には被打ち込み材に押圧されて移動する起動部材１７が、移動可能に支持される。起動部材１７には上述した燃焼室枠１３が連接しており、起動部材１７の移動に連動して燃焼室枠１３がその上死点と下死点との間を移動する構成である。
【００１５】
ガスボンベ収納部２Ｂ内には燃料ガスを蓄えノズル１８Ａを備えたガスボンベ１８が収納される。ノズル１８Ａはチャンバヘッド５の燃料通路に選択的に導通可能に設けられる。起動部材１７が押し上げ力を受けたときにガスボンベ１８を押す図示せぬカムが設けられる。ガスボンベ１８がカムで押された場合に、ボンベノズル１８Ａからの燃料ガスが燃料ガス通路を介して燃焼室１４内に噴射される。
【００１６】
ハンドル部３にはトリガ１９が指で操作可能に取付けられ、ハンドル部３内には点火プラグ７に接続するスパークスイッチ２０が設けられている。ハンドル部３の自由端部側内空間には、リチウムイオン電池２１を着脱可能に収容するリチウムイオン電池収容部４が設けられている。リチウムイオン電池２１は配線２２を介して、スパークスイッチ２０やモータ６に接続される。
【００１７】
射出部１６とハンドル部３とに跨って、束状の釘を順次射出部１６に供給するマガジン２３が設けられている。マガジン２３のハンドル端部側の端面２３ａとハンドル端部の端面３ａとは、段部がない連続した略直線形状をなしている。不規則な凹凸面がないので、周囲との干渉を避けてより狭いスペースでの作業が可能となる。
【００１８】
以上の構成において、燃焼室枠１３が下死点にあるときは、燃焼室枠１３はヘッドシール部８やシリンダシール部１０と接触しておらず、燃焼室枠１３内の空間は外気に繋がっている。この状態から、起動部材１７を被打込み材に当接させ、工具１を被打込み材方向に押圧すると、燃焼室枠１３がチャンバヘッド５方向に移動し、燃焼室枠１３はヘッドシール部８及びシリンダシール部１０に密接して外気に遮断された燃焼室１４が画成される。また、燃焼室枠１４が所定位置まで上昇すると、そのことを図示せぬセンサが検知して、ファン１５を回転させる。また起動部材１７の押し上げ力により、図示せぬカムがガスボンベ１８を押してボンベノズル１８Ａから燃料ガスが燃焼室１４内に噴射される。
【００１９】
チャンバ4が上死点にある状態でトリガ１９を引き操作すると、スパークスイッチ２０がオンとなり点火プラグ７からスパークが発生する。よって燃焼室１４内で燃焼ガスが点火され、ガスは燃焼爆発してピストン１１を射出部１６方向に付勢する。よって、ドライバブレード１２が射出部１６にある釘を打撃し、釘は被打込み材に打ち込まれる。
【００２０】
ハウジング２の一部を構成するハンドル部３にはリチウムイオン電池収容部４が設けられており、電池としてはリチウムイオン電池２１が用いられるので、工具１全体の軽量化を図ることができる。またリチウムイオン電池２１はニッカド電池やニッケル水素電池と比較して放電が少なく電池の使用時間が長いので、ランニングコストを低くできる。またリチウムイオン電池はリサイクル性に優れるので、その使用により資源の有効活用に寄与できる。
【００２１】
釘打ち動作において釘打機１は、鉛直下方向きに釘を打ち込むことが多い。リチウムイオン電池収容部４はハンドル部３の自由端部に配置されているので、リチウムイオン電池２１を電池収容部４に装着して鉛直下向きに釘を打込むとき、リチウムイオン電池２１はニッカド電池やニッケル水素電池と比較して軽量であるため、ハンドル部３からは離間した被打込み材の直上にある射出部１６側に、よりいっそう偏らせるような重量配分を提供することが可能となる。従って打込み時の工具１の重量を、よりいっそうドライバブレード１２上に集中させることができ、打ち込み時の反動を低下できるので、作業効率の向上を図ることができる。
【００２２】
尚、本発明の燃焼式動力工具は、上記した実施の形態に限定されるものではなく、本発明の要旨を逸脱しない範囲内において種々変更を加え得ることは勿論である。例えば上述した実施の形態では、打込み時の工具の重量バランスを向上させるために、リチウムイオン電池をハンドル端部に配置しているが、電池としてリチウムイオン電池を採用する限りにおいて及び工具の重量バランスを阻害しないかぎりにおいて、電池収容部を燃焼室枠と並列配置するか、射出部と並列配置するか、又はマガジンに併設してもよい。
【産業上の利用可能性】
【００２３】
本発明の燃焼式動力工具は釘打機等に特に好適である。
【図面の簡単な説明】
【００２４】
【図１】本発明の実施の形態による燃焼式動力工具を示す断面図。
【符号の説明】
【００２５】
１  燃焼式動力工具である釘打機  ２  ハウジング、  ２Ａ  ハウジング本体、  ２Ｂ  ガスボンベ収納部、  ３  ハンドル部、３ａハンドル部端面、  ４  リチウムイオン電池収容部、５  チャンバヘッド、６  モータ、７  点火プラグ、９  シリンダ、  １１  ピストン、１２  ドライバブレード、１３燃焼室枠、  １４  燃焼室、  １６  射出部、  １７  起動部材、  １９  トリガ、  ２０  スパークスイッチ、２１  リチウムイオン電池、２３  マガジン、  ２３ａ  マガジン端面
【図１】
2008221436.tif 000003